(57)【特許請求の範囲】
【請求項１】
ディスプレイ装置において、
少なくとも２つの領域を含む画像を表示するように構成されるディスプレイと、
前記少なくとも２つの領域のうちの１つの領域内の座標値に対するユーザの指及び電子ペンのうちの少なくとも一方からの前記ディスプレイに対するタッチを検知するためのセンサと、
少なくとも１つの外部入力ソースと通信する通信部と、
前記座標値に応じて、前記ディスプレイ装置及び前記少なくとも１つの外部入力ソースのそれぞれが前記ユーザの指及び前記電子ペンに対応する異なるタッチタイプにマッチングするマッチング情報を保存するストレージと、
前記保存されたマッチング情報に基づいて、前記センサで検知されたタッチのタッチタイプが特定外部入力ソースに対応すると判断されると、前記検知されたタッチに対応する情報を前記特定外部入力ソースに伝送するように前記通信部を制御するプロセッサと
を含み、
前記異なるタッチタイプのうちの第１タッチタイプは、前記少なくとも２つの領域のうちの第１領域に対応し、前記異なるタッチタイプのうちの第２タッチタイプは、前記少なくとも２つの領域のうちの第２領域に対応し、
当該ディスプレイ装置又は前記少なくとも１つの外部入力ソースは、前記検知されたタッチによって制御される機器を選択する過程又は切り替える過程なしに、前記異なるタッチタイプによって制御され、
前記プロセッサは、
前記検知されたタッチのタッチ面積が予め設定された範囲内であれば前記第１タッチタイプと判断し、前記検知されたタッチのタッチ面積が前記予め設定された範囲を超過すると前記第２タッチタイプと判断し、
前記タッチタイプが前記第１タッチタイプと判断されると、当該ディスプレイ装置が前記検知されたタッチに対応する機能を提供し、
前記第２タッチタイプは、前記特定外部入力ソースに対応するタッチタイプである、ディスプレイ装置。
【請求項２】
前記プロセッサは、
前記保存されたマッチング情報に基づいて、前記センサで検知されたタッチのタッチタイプが当該ディスプレイ装置に対応すると判断されると、前記検知されたタッチに対応する機能を実行することを特徴とする請求項１に記載のディスプレイ装置。
【請求項３】
前記プロセッサは、
前記外部入力ソースに対応する画面をディスプレイし、前記検知されたタッチのタッチタイプが前記外部入力ソースに対応すると判断されると、前記検知されたタッチに対応する情報を前記外部入力ソースに伝送することを特徴とする請求項１に記載のディスプレイ装置。
【請求項４】
当該ディスプレイ装置は、電子黒板で実現され、
前記プロセッサは、
前記外部入力ソースに対応する画面をディスプレイし、前記検知されたタッチのタッチタイプが前記外部入力ソースに対応すると判断されると、前記検知されたタッチに対応する座標値を前記外部入力ソースに伝送し、
前記検知されたタッチのタッチタイプが前記電子黒板に対応すると判断されると、前記検知されたタッチに対応する座標値に応じて板書機能を行うことを特徴とする請求項３に記載のディスプレイ装置。
【請求項５】
前記ディスプレイ装置は、電子黒板で実現され、
前記プロセッサは、
前記ディスプレイの一部の領域及び残りの領域に、それぞれ前記外部入力ソースに対応する画面及び前記電子黒板に対応する画面をディスプレイし、
前記検知されたタッチのタッチタイプが前記外部入力ソースに対応すると判断されると、前記検知されたタッチに対応する座標値を前記外部入力ソースに伝送し、
前記検知されたタッチのタッチタイプが前記電子黒板に対応すると判断されると、前記検知されたタッチに対応する座標値に対応する機能を行うことを特徴とする請求項３に記載のディスプレイ装置。
【請求項６】
前記プロセッサは、
前記検知されたタッチが第１タッチオブジェクトによって行われると前記第１タッチタイプと判断し、
前記検知されたタッチが第２タッチオブジェクトによって行われると前記第２タッチタイプと判断することを特徴とする請求項１に記載のディスプレイ装置。
【請求項７】
少なくとも一つの外部入力ソースと通信するディスプレイ装置の制御方法において、
前記ディスプレイ装置に備えられたディスプレイに少なくとも２つの領域を含む画像を表示するステップと、
前記少なくとも２つの領域のうちの１つの領域内の座標値に対するユーザの指及び電子ペンのうちの少なくとも一方から、前記ディスプレイに対するタッチを検知するステップと、
前記座標値に応じて、前記ディスプレイ装置及び前記少なくとも一つの入力ソースのそれぞれが前記ユーザの指及び前記電子ペンに対応する異なるタッチタイプにマッチングするマッチング情報に基づいて、前記検知されたタッチのタッチタイプに対応する特定外部入力ソースを判断するステップと、
前記検知されたタッチのタッチタイプが特定外部入力ソースに対応すると判断されると、前記検知されたタッチに対応する情報を前記外部入力ソースに伝送するステップと
を含み、
前記異なるタッチタイプのうちの第１タッチタイプは、前記少なくとも２つの領域のうちの第１領域に対応し、前記異なるタッチタイプのうちの第２タッチタイプは、前記少なくとも２つの領域のうちの第２領域に対応し、
前記ディスプレイ装置又は前記外部入力ソースは、前記検知されたタッチによって制御される機器を選択する過程又は切替える過程なしに、前記異なるタッチタイプによって制御され、
前記判断するステップは、
前記検知されたタッチのタッチ面積が予め設定された範囲内であれば前記第１タッチタイプと判断し、前記検知されたタッチのタッチ面積が前記予め設定された範囲を超過すると前記第２タッチタイプと判断するステップを含み、
前記伝送するステップは、
前記タッチタイプが前記第１タッチタイプと判断されると、前記検知されたタッチに対応する機能を提供し、前記第２タッチタイプは、前記特定外部入力ソースに対応するタッチタイプである、ステップを含む、制御方法。
【請求項８】
前記マッチング情報に基づいて、前記検知されたタッチのタッチタイプが前記ディスプレイ装置に対応すると判断されると、前記検知されたタッチに対応する機能を実行するステップを更に含むことを特徴とする請求項７に記載の制御方法。
【請求項９】
前記外部入力ソースに対応する画面をディスプレイするステップを更に含み、
前記伝送するステップは、
前記検知されたタッチのタッチタイプが前記外部入力ソースに対応すると判断されると、前記検知されたタッチに対応する情報を前記外部入力ソースに伝送することを特徴とする請求項７に記載の制御方法。
【請求項１０】
前記ディスプレイ装置は、電子黒板で実現され、
前記検知されたタッチのタッチタイプが前記電子黒板に対応すると判断されると、前記検知されたタッチに対応する座標値に応じて板書機能を行うステップを更に含むことを特徴とする請求項９に記載の制御方法。
【請求項１１】
前記ディスプレイ装置は、電子黒板で実現され、
前記ディスプレイするステップは、
前記ディスプレイの一部の領域及び残りの領域に、それぞれ前記外部入力ソースに対応する画面及び前記電子黒板に対応する画面をディスプレイし、
前記検知されたタッチのタッチタイプが前記電子黒板に対応すると判断されると、前記検知されたタッチに対応する座標値に対応する機能を行い、
前記検知されたタッチのタッチタイプが前記外部入力ソースに対応すると判断されると、前記検知されたタッチに対応する座標値を前記外部入力ソースに伝送するステップを更に含むことを特徴とする請求項９に記載の制御方法。
【請求項１２】
前記判断するステップは、
前記検知されたタッチが第１タッチオブジェクトによって行われると前記第１タッチタイプと判断し、前記検知されたタッチが第２タッチオブジェクトによって行われると前記第２タッチタイプと判断することを特徴とする請求項７に記載の制御方法。
【請求項１３】
少なくとも一つの外部入力ソースと通信するディスプレイ装置の制御方法を行うためのプログラムが保存された非一時的な読み取り可能な媒体において、
前記制御方法は、
前記ディスプレイ装置に備えられたディスプレイに少なくとも２つの領域を含む画像を表示するステップと、
前記少なくとも２つの領域のうちの１つの領域内の座標値に対するユーザの指及び電子ペンのうちの少なくとも一方から、前記ディスプレイに対するタッチを検知するステップと、
前記座標値に応じて、前記ディスプレイ装置及び前記少なくとも一つの入力ソースのそれぞれが前記ユーザの指及び前記電子ペンに対応する異なるタッチタイプにマッチングするマッチング情報に基づいて、前記検知されたタッチのタッチタイプに対応する特定外部入力ソースを判断するステップと、
前記検知されたタッチのタッチタイプが特定外部入力ソースに対応すると判断されると、前記検知されたタッチに対応する情報を前記外部入力ソースに伝送するステップと
を含み、
前記異なるタッチタイプのうちの第１タッチタイプは、前記少なくとも２つの領域のうちの第１領域に対応し、前記異なるタッチタイプのうちの第２タッチタイプは、前記少なくとも２つの領域のうちの第２領域に対応し、
前記ディスプレイ装置又は前記外部入力ソースは、前記検知されたタッチによって制御される機器を選択する過程又は切替える過程なしに、前記異なるタッチタイプによって制御され、
前記判断するステップは、
前記検知されたタッチのタッチ面積が予め設定された範囲内であれば前記第１タッチタイプと判断し、前記検知されたタッチのタッチ面積が前記予め設定された範囲を超過すると前記第２タッチタイプと判断するステップを含み、
前記伝送するステップは、
前記タッチタイプが前記第１タッチタイプと判断されると、前記検知されたタッチに対応する機能を提供し、前記第２タッチタイプは、前記特定外部入力ソースに対応するタッチタイプである
、ステップを含む、非一時的な読み取り可能な媒体。
【発明の詳細な説明】
【技術分野】
【０００１】
本発明は、ディスプレイ装置及びその制御方法に関し、より詳細には、電子黒板機能をサポートするディスプレイ装置及びその制御方法に関する。
【背景技術】
【０００２】
近来、ディスプレイ装置分野の技術の発達により、多様なディスプレイ装置が開発及び普及されている。特に、教育の分野に電子装置を活用するｅラーニング（ｅ−Ｌｅａｒｎｉｎｇ）の流れを受け、ディスプレイ装置と黒板とを合わせた電子黒板装置が多く使われている。
【０００３】
電子黒板は、タッチで外部装置からコンテンツを受信してディスプレイすることもでき、電子黒板そのものの機能をディスプレイすることもできる。
【０００４】
ただ、タッチを通じて外部装置を制御したり電子黒板を制御するためには、制御しようとする機器を選択する別途の選択作業または切替作業をしなければならないという問題があった。
【０００５】
それにより、切替作業なしでも、外部装置または電子黒板を制御することができるようにする必要がある。
【発明の概要】
【発明が解決しようとする課題】
【０００６】
本発明の実施形態のために、上記の問題及び言及していない他の問題を克服する。なお、本発明は、上述の問題を克服する必要がなく、本発明の実施形態は、上述の問題のいずれも克服できないこともある。
【０００７】
また、本発明は、上記問題に鑑みてなされたものであり、本発明の目的とするところは、外部入力ソースまたはディスプレイ装置を切替作業なしでも、タッチで制御できるディスプレイ装置及びその制御方法を提供する。
【課題を解決するための手段】
【０００８】
以上のような目的を達成するための本発明の一実施形態に係るディスプレイ装置は、ディスプレイと、前記ディスプレイに対するタッチを検知するためのセンサと、少なくとも一つの外部入力ソースと通信する通信部と、前記ディスプレイ装置及び前記少なくとも一つの入力ソースのそれぞれが異なるタッチタイプにマッチングするマッチング情報を保存するストレージと、前記マッチング情報に基づいて前記センサで検知されたタッチのタッチタイプが特定外部入力ソースに対応すると判断されると、前記検知されたタッチに対応する情報を前記特定外部入力ソースに伝送するように前記通信部を制御するプロセッサとを含む。
【０００９】
前記プロセッサは、前記マッチング情報に基づいて、前記センサで検知されたタッチのタッチタイプが前記ディスプレイ装置に対応すると判断されると、前記検知されたタッチに対応する機能を実行してよい。
【００１０】
前記プロセッサは、前記外部入力ソースに対応する画面をディスプレイし、前記検知されたタッチのタッチタイプが前記外部入力ソースに対応すると判断されると、検知されたタッチに対応する情報を前記外部入力ソースに伝送してよい。
【００１１】
前記ディスプレイ装置は、電子黒板で実現され、前記外部入力ソースに対応する画面をディスプレイし、前記検知されたタッチのタッチタイプが前記外部入力ソースに対応すると判断されると、前記検知されたタッチに対応する座標値を前記外部入力ソースに伝送し、前記検知されたタッチのタッチタイプが前記電子黒板に対応すると判断されると、前記検知されたタッチに対応する座標値に応じて板書機能を行ってよい。
【００１２】
前記ディスプレイ装置は、電子黒板で実現され、前記ディスプレイの一部の領域及び残りの領域に、それぞれ前記外部入力ソースに対応する画面及び前記電子黒板に対応する画面をディスプレイし、前記検知されたタッチのタッチタイプが前記外部入力ソースに対応すると判断されると、前記検知されたタッチに対応する座標値を前記外部入力ソースに伝送し、前記検知されたタッチのタッチタイプが前記電子黒板に対応すると判断されると、前記検知されたタッチに対応する座標値に対応する機能を行ってよい。
【００１３】
前記プロセッサは、前記検知されたタッチのタッチ面積が予め設定された範囲内であれば第１タッチタイプと判断し、前記検知されたタッチのタッチ面積が前記予め設定された範囲を超過すると第２タッチタイプと判断してよい。
【００１４】
前記プロセッサは、前記検知されたタッチが第１タッチオブジェクトによって行われると前記第１タッチタイプと判断し、前記検知されたタッチが第２タッチオブジェクトによって行われると前記第２タッチタイプと判断してよい。
【００１５】
本発明の一実施形態に係る少なくとも一つの外部入力ソースと通信するディスプレイ装置の制御方法は、前記ディスプレイ装置に備えられたディスプレイに対するタッチを検知するステップと、前記ディスプレイ装置及び前記少なくとも一つの入力ソースのそれぞれが異なるタッチタイプにマッチングするマッチング情報に基づいて、前記検知されたタッチのタッチタイプに対応する特定外部入力ソースを判断するステップと、前記検知されたタッチのタッチタイプが特定外部入力ソースに対応すると判断されると、前記検知されたタッチに対応する情報を前記特定外部入力ソースに伝送するステップとを含む。
【００１６】
前記マッチング情報に基づいて、前記検知されたタッチのタッチタイプが前記ディスプレイ装置に対応すると判断されると、前記検知されたタッチに対応する機能を実行するステップを更に含んでよい。
【００１７】
前記外部入力ソースに対応する画面をディスプレイするステップを更に含み、前記伝送するステップは、前記検知されたタッチのタッチタイプが前記外部入力ソースに対応すると判断されると、前記検知されたタッチに対応する情報を前記外部入力ソースに伝送してよい。
【００１８】
前記ディスプレイ装置は、電子黒板で実現され、前記検知されたタッチのタッチタイプが前記電子黒板に対応すると判断されると、前記検知されたタッチに対応する座標値に応じて板書機能を行うステップを更に含んでよい。
【００１９】
前記ディスプレイ装置は、電子黒板で実現され、前記ディスプレイするステップは、前記ディスプレイの一部の領域及び残りの領域に、それぞれ前記外部入力ソースに対応する画面及び前記電子黒板に対応する画面をディスプレイし、前記検知されたタッチのタッチタイプが前記電子黒板に対応すると判断されると、前記検知されたタッチに対応する座標値に対応する機能を行い、前記検知されたタッチのタッチタイプが前記外部入力ソースに対応すると判断されると、前記検知されたタッチに対応する座標値を前記外部入力ソースに伝送するステップを更に含んでよい。
【００２０】
前記判断するステップは、前記検知されたタッチのタッチ面積が予め設定された範囲内であれば第１タッチタイプと判断し、前記検知されたタッチのタッチ面積が前記予め設定された範囲を超過すると第２タッチタイプと判断してよい。
【００２１】
前記判断するステップは、前記検知されたタッチが第１タッチオブジェクトによって行われると前記第１タッチタイプと判断し、前記検知されたタッチが第２タッチオブジェクトによって行われると前記第２タッチタイプと判断してよい。
【００２２】
本発明の一実施形態に係る少なくとも一つの外部入力ソースと通信するディスプレイ装置の制御方法を行うためのプログラムが保存された非一時的な読み取り可能な媒体において、前記制御方法は、前記ディスプレイ装置に備えられたディスプレイに対するタッチを検知するステップと、前記ディスプレイ装置及び前記少なくとも一つの入力ソースのそれぞれが異なるタッチタイプにマッチングするマッチング情報に基づいて、前記検知されたタッチのタッチタイプに対応する特定外部入力ソースを判断するステップと、前記検知されたタッチのタッチタイプが特定外部入力ソースに対応すると判断されると、前記検知されたタッチに対応する座標値に対応する情報を前記特定外部入力ソースに伝送するステップとを含む。
【発明の効果】
【００２３】
以上説明したように、本発明によれば、タッチタイプに基づいてディスプレイ装置又は多様な外部入力ソースを制御することができるため、ユーザの便宜性が向上する。
【図面の簡単な説明】
【００２４】
【図１】本発明の一実施形態に係るディスプレイ装置及び外部入力ソースを説明するための図である。
【図２Ａ】本発明の一実施形態に係るディスプレイ装置の構成を示すブロック図である。
【図２Ｂ】本発明の一実施形態に係るディスプレイ装置の構成を示すブロック図である。
【図３Ａ】本発明の一実施形態に係るマッチング情報を説明するための図である。
【図３Ｂ】本発明の一実施形態に係るマッチング情報を説明するための図である。
【図４Ａ】本発明の一実施形態に係るタッチ面積を基準にタッチタイプが判断される多様な形態を説明するための図である。
【図４Ｂ】本発明の一実施形態に係るタッチ面積を基準にタッチタイプが判断される多様な形態を説明するための図である。
【図５Ａ】本発明の一実施形態に係るタッチオブジェクトを基準にタッチタイプが判断される多様な形態を説明するための図である。
【図５Ｂ】本発明の一実施形態に係るタッチオブジェクトを基準にタッチタイプが判断される多様な形態を説明するための図である。
【図６】本発明の一実施形態に係るディスプレイ装置の制御方法を説明するためのフローチャートである。
【発明を実施するための形態】
【００２５】
以下に添付図面を参照しながら、本発明の好適な実施形態について詳細に説明する。
【００２６】
図１は、本発明の一実施形態に係るディスプレイ装置及び外部入力ソースを説明するための図である。
【００２７】
図１に示すように、ディスプレイ装置１００は、少なくとも一つの外部入力ソース２００、３００と通信することができる。ここで、外部入力ソース２００、３００は、デスクトップパソコン２００、セットトップボックス３００、スマートフォン（図示せず）、タブレット（図示せず）などのような多様な電子装置で実現されてよい。よって、ディスプレイ装置１００は、外部入力ソース２００、３００に対応する画面をディスプレイすることができる。例えば、ディスプレイ装置１００がパソコン２００と通信を行うと、ディスプレイ装置１００はパソコン２００から受信された画面２００−１をディスプレイすることができる。
【００２８】
なお、ディスプレイ装置１００は、ディスプレイ装置１００に対応する画面１００−１をディスプレイすることができる。ここで、ディスプレイ装置１００に対応する画面１００−１は、ディスプレイ装置１００の自主機能を実行させることができる画面であってよい。例えば、ディスプレイ装置１００が電子黒板で実現されると、電子黒板機能を提供する画面をディスプレイすることができる。ここで、電子黒板機能は、黒または白の画面及び板書機能であってよい。ただ、それに限定されるものではなく、通常の電子黒板装置で行われる全ての機能を実行させることができる画面１００−１がディスプレイされてよい。
【００２９】
なお、ディスプレイ装置１００は、図１に示すように、ディスプレイ装置１００に対応する画面１００−１及び外部入力装置２００、３００に対応する画面を同時にディスプレイすることができる。具体的に、ディスプレイ装置１００は、ディスプレイ１１０の一部の領域及び残りの領域にそれぞれ外部入力ソース２００、３００に対応する画面及びディスプレイ装置１００そのものに対応する画面１００−１をディスプレイすることができる。ただ、それに限定されるものではなく、特定外部入力ソースまたはディスプレイ装置１００に対応する画面のうちいずれか一つのみをディスプレイすることもできる。
【００３０】
なお、ディスプレイ装置１００は、タッチを検知するためのセンサを備えてよい。センサからタッチが検知されると、検知されたタッチのタッチタイプに対応する外部入力ソースまたはディスプレイ装置１００に、検知されたタッチに対応する情報を伝送することができる。タッチタイプに対する具体的な実施例については、後述することとする。
【００３１】
図２Ａ及び図２Ｂは、本発明の一実施形態に係るディスプレイ装置の構成を示すブロック図である。
【００３２】
図２Ａに示すように、ディスプレイ装置１００は、ディスプレイ１１０、センサ１２０、通信部１３０、ストレージ１４０及びプロセッサ１５０を含む。ここで、ディスプレイ装置１００は、テレビ、電子黒板、電子テーブル、ＬＦＤ（Ｌａｒｇｅ  Ｆｏｒｍａｔ  Ｄｉｓｐｌａｙ）などのような様々な電子装置で実現されてよい。ここで、電子黒板は、ＩＲセンサを用いて赤外線方式（Ｉｎｆｒａｒｅｄ  Ｔｏｕｃｈ  Ｓｃｒｅｅｎ）、超音波方式（Ｓｕｒｆａｃｅ  Ａｃｏｕｓｔｉｃ  Ｗａｖｅ  Ｔｏｕｃｈ  Ｓｃｒｅｅｎ）、抵抗膜方式（Ｒｅｓｉｓｔｉｖｅ  Ｔｏｕｃｈ  Ｓｃｒｅｅｎ）（または、感圧式方式）、静電容量タッチ方式（Ｃａｐａｃｉｔｉｖｅ  Ｔｏｕｃｈ  Ｓｃｒｅｅｎ）などで実現されたタッチスクリーンパネルを備え、電子ペンまたは指先を用いて筆記が可能な電子装置を意味する。ただ、それに限定されるものではなく、電子黒板はカメラなどを用いてタッチ領域を区分する方式などで実現することも可能である。
【００３３】
なお、本発明の一実施形態に係るディスプレイ装置１００は、電子黒板そのもので実現できる場合だけでなく、電子黒板機能を行うことができる通常のテレビ、電子テーブル、ＬＦＤなどで実現される場合を含む。
【００３４】
ディスプレイ１１０は、ディスプレイ装置１００そのものの画面及び外部入力ソース２００、３００から受信された画面のうち少なくとも一つをディスプレイすることができる。
【００３５】
なお、ディスプレイ１１０は、映画、ドラマ、録画映像、スロービデオなどの複数のイメージで生成され、一定のフレーム比率を有してディスプレイされる全ての動画イメージまたはスチルイメージ、写真、文書などの様々なコンテンツをディスプレイすることができる。
【００３６】
なお、ディスプレイ１１０は、各種メニューを含むユーザインターフェース画面をディスプレイすることができる。このようなユーザインターフェース画面は、ディスプレイ装置１００を制御するための各種メニュー、例えば、音量アップ／ダウン、チャネルアップ／ダウン、環境設定メニューなどを含んでよい。
【００３７】
特に、ディスプレイ１１０は、電子黒板機能を提供する画面をディスプレイすることができる。このような電子黒板機能を提供する画面は、黒または白の背景イメージとともにディスプレイされてよく、なお、背景イメージは透明度が調整され、透明な画面に提供されてよい。ここで、電子黒板機能は、通常の電子黒板装置で行われる全ての機能を意味し、それに対する実施形態は後述することにする。
【００３８】
なお、ディスプレイ１１０は、液晶表示装置（Ｌｉｑｕｉｄ  Ｃｒｙｓｔａｌ  Ｄｉｓｐｌａｙ：ＬＣＤ）、有機電気発光ダイオード（Ｏｒｇａｎｉｃ  Ｌｉｇｈｔ  Ｅｍｉｉｔｉｎｇ  Ｄｉｓｐｌａｙ：ＯＬＥＤ）またはプラズマ表示パネル（Ｐｌａｓｍａ  Ｄｉｓｐｌａｙ  Ｐａｎｅｌ：ＰＤＰ）などで実現されてよい。
【００３９】
センサ１２０は、ディスプレイ１１０に対するタッチを検知することができる。具体的に、センサ１２０は、多様な類型のセンサで実現されてよい。よって、タッチを認識するためのタッチセンサ、ユーザの動きを検知するためのモーションセンサ、電子ペンの動きと軌跡などを検知するためのセンサで実現されてよい。
【００４０】
通信部１３０は、少なくとも一つの外部入力ソース２００、３００と通信を行うことができる。具体的に、ディスプレイ装置１００は、通信部１３０を用いて外部入力ソース２００、３００と有線または無線で接続されてよい。よって、通信部１３０は、ＵＳＢ、シリアルポート、ＷＩ−Ｆｉ、ブルートゥース（登録商標）などを通じて外部入力ソースとデータ送受信を行うことができる。もちろん、サポート可能な規格は上述の例に限定されずに、別のフォーマットの規格もサポート可能である。よって、ディスプレイ装置１００は、通信部１３０を用いて接続された外部入力ソース２００、３００に対応する画面をディスプレイすることができる。
【００４１】
ストレージ１４０は、ディスプレイ装置１００を駆動／制御するための多様なデータ、プログラムまたはアプリケーションを保存することができる。
【００４２】
ストレージ１４０は、ディスプレイ装置１００及びプロセッサ１５０の制御のための制御プログラム、製造元において最初に提供されるか外部からダウンロードしたアプリケーション、アプリケーションに関連するＧＵＩ（Ｇｒａｐｈｉｃａｌ  Ｕｓｅｒ  Ｉｎｔｅｒｆａｃｅ、以下では「ＧＵＩ」という）、ＧＵＩを提供するためのオブジェクト（例えば、イメージテキスト、アイコン、ボタンなど）、ユーザ情報、文書、データベースまたは関連データを保存することができる。
【００４３】
ストレージ１４０は、ディスプレイ装置１００に装着されるメモリカード（例えば、ｍｉｃｒｏ  ＳＤカード、ＵＳＢメモリなど）、非揮発性メモリ、揮発性メモリ、ハードディスクドライブ（ＨＤＤ）またはソリッドステートドライブ（ＳＳＤ）を含むことができる。
【００４４】
なお、ディスプレイ装置１００が電子黒板で実現される場合、ストレージ１４０は電子黒板機能を行うためのプログラムを保存する。ディスプレイ１１０で電子黒板機能を行うための画面が提供されるためには、ストレージ１４０に保存された電子黒板機能を行うためのプログラムがプロセッサ１５０によって実行されなければならない。このような電子黒板機能を行うためのプログラムは、ディスプレイ装置１００の設計時から保存されてよいが、ファームウェア形式にアップデートされてよい。そして、このようなファームウェア形式のアップデートは、通信部１３０を用いて有線や無線通信によって行われてよい。
【００４５】
特に、ストレージ１４０は、ディスプレイ装置１００及び少なくとも一つの外部入力ソース２００、３００のそれぞれが異なるタッチタイプにマッチングするマッチング情報を保存することができる。
【００４６】
ただ、実施形態によって、マッチング情報は、ストレージ１４０はディスプレイ装置１００の一般的な機能に関連するデータ、例えば、ディスプレイ装置１００を駆動／制御するための多様なデータ、プログラムまたはアプリケーションが保存された第１ストレージ及びタッチ機能に関連するデータ、例えば、マッチング情報が保存された第２ストレージで実現されてよい。ここで、第１ストレージは、プロセッサ１５０の内部に備えられたメモリ及び／またはプロセッサ１５０の外部に備えられたメモリで実現されてよく、第２ストレージは後述のタッチコントローラに備えられたプロセッサ（図示せず）の内部に備えられたメモリ及び／またはプロセッサの外部に備えられたメモリで実現されてよい。
【００４７】
ここで、マッチング情報は、センサ１２０で検知されたタッチのタッチタイプとディスプレイ装置または外部入力ソースの間のマッチング関係を示す情報である。例えば、センサ１２０で検知されたタッチの第１タッチタイプは、ディスプレイ装置とマッチング関係にあり、第２タッチタイプは、複数の外部入力ソースのうちパソコン２００とマッチング関係にあってよい。よって、ストレージ１４０に保存されたマッチング情報は、ディスプレイ装置１００及びディスプレイ装置１００と通信する少なくとも一つの外部入力ソースのそれぞれを異なるタッチタイプにマッチングさせた情報を含んでよい。
【００４８】
ここで、異なるタッチタイプは、センサ１２０が検知したタッチを予め設定された基準に区分して決定（または、識別）されてよい。例えば、予め設定された基準がタッチ面積であれば、センサ１２０が検知したタッチのタッチ面積を基準にタッチタイプを区分することができる。なお、予め設定された基準がタッチオブジェクトであれば、タッチが行われたタッチオブジェクトを基準にタッチタイプを区分することができる。
【００４９】
プロセッサ１５０は、ディスプレイ装置１００の動作を全般的に制御する。よって、プロセッサ１５０は、ストレージ１４０にアクセスし、ストレージ１４０に保存されたＯ／Ｓを用いてブートを行う。そして、ストレージ１４０に保存された各種プログラム、コンテンツ、データなどを用いて多様な動作を行う。
【００５０】
特に、プロセッサ１５０は、マッチング情報に基づいてセンサ１２０から検知されたタッチのタッチタイプが特定外部ソースに対応するか否かを判断（または、識別）することができる。
【００５１】
具体的に、プロセッサ１５０は、センサ１２０から検知されたタッチのタッチタイプを決定し、決定されたタッチタイプにマッチングする外部入力ソースが存在するか否かをストレージ１４０に保存されたマッチング情報に基づいて判断することができる。
【００５２】
一方、後述のように、ディスプレイ装置１００がタッチコントローラを含むと、タッチコントローラに備えられたプロセッサがストレージに保存されたマッチング情報に基づいて、タッチタイプが特性外部入力ソースに対応するか否かを判断することができる。
【００５３】
例えば、センサ１２０でタッチが検知され、検知されたタッチのタッチタイプが第１タッチタイプに決定すると、プロセッサ１５０は（または、タッチコントローラに備えられたプロセッサ）、マッチング情報に基づいて第１タッチタイプに対応する外部入力ソースを判断することができる。
【００５４】
プロセッサ１５０がタッチタイプを特定外部入力ソースに対応すると判断されると、検知されたタッチに対応する情報を特定外部入力ソースに伝送することができる。ここで、検知されたタッチに対応する情報は、ディスプレイ１１０上で検知されたタッチの座標値情報（相対座標情報及び絶対座標情報）、検知されたタッチの座標位置にディスプレイされた外部入力ソースに対するメニュー、機能などであってよい。例えば、プロセッサ１５０は、ユーザのタッチが検知されると、ストレージ１４０に予め保存された情報を用いてタッチ位置に対応する座標情報（Ｘ及びＹ座標）を算出し、座標情報を通信部１３０に伝達することができる。または、例えば、タッチ圧力に応じた座標情報（Ｘ、Ｙ、Ｚ座標）情報を伝送することも可能である。
【００５５】
なお、プロセッサ１５０は、マッチング情報に基づいてセンサ１２０から検知されたタッチのタッチタイプがディスプレイ装置１００に対応すると判断されると、検知されたタッチに対応する座標値に応じた機能を行うことができる。ここで、座標値に応じた機能は、ディスプレイ１１０上で検知されたタッチの座標値にディスプレイされたディスプレイ装置１００に対するメニュー、機能などであってよい。例えば、プロセッサ１５０は、ユーザのタッチが検知されると、タッチ位置に対応する座標情報（Ｘ及びＹ座標）を算出し、算出された座標情報に対応する映像をディスプレイするか、機能を行うことができる。
【００５６】
一方、上述のように、ディスプレイ装置１００がタッチコントローラを含むと、タッチコントローラに備えられたプロセッサがストレージに保存されたマッチング情報に基づいてタッチタイプがディスプレイ装置１００に対応するか否かを判断することができる。
【００５７】
例えば、ディスプレイ装置１００が電子黒板で実現され、ディスプレイ１１０は、電子黒板機能を提供する画面をディスプレイした場合を想定することができる。この場合、プロセッサ１５０（または、タッチコントローラに備えられたプロセッサ）は、検知されたタッチの座標値にディスプレイされた電子黒板機能を行うことができる。ここで、電子黒板機能は、板書機能（筆記入力機能）、編集機能、動画再生機能及び筆記入力された画面保存機能などを含むことができる。
【００５８】
板書機能は、ユーザ操作によるタッチ入力または電子ペンによる入力によって行われてよく、プロセッサ１５０は、入力に対応する機能またはアプリケーションを実行することができる。
【００５９】
編集機能は、入力された文字を消したり直し、コピーする機能または文字の大きさ、フォント、色、文字体などを変更する機能などを含んでよく、その他に、一般的に使用される文書編集機能を含んでよい。
【００６０】
動画再生機能は、電子黒板でも動画イメージ、スチルイメージなどを再生する機能を意味する。
【００６１】
ただ、電子黒板機能は、上述の機能に限定されずに、電子黒板装置で使われる全ての機能を含んでよい。
【００６２】
本発明の別の実施形態に係る図２Ｂによると、上述のディスプレイ装置１００の機能中のタッチ機能は、ディスプレイ装置１００に別途に備えられたタッチコントローラ４００によって行われてよい。例えば、タッチコントローラ４００は、タッチモジュール（図示せず）に備えられてよい。タッチコントローラ４００は、センサ１２０、ストレージ４２０、通信部４３０及びプロセッサ４４０を備えることができる。この場合、タッチコントローラ４００に備えられたストレージ４２０は、ディスプレイ装置１００及び少なくとも一つの外部入力ソース２００、３００のそれぞれが異なるタッチタイプにマッチングしたマッチング情報を保存することができる。その他に、ディスプレイ装置１００の他の機能に関連するデータは、上述のように、ストレージ１４０に保存されてよい。
【００６３】
なお、タッチコントローラ４００に備えられたプロセッサ４４０は、本発明の一実施形態に係るタッチ機能に関連する動作を制御することができる。例えば、タッチコントローラ４００に備えられたプロセッサ４４０は、タッチコントローラ４００に備えられたストレージ４２０に保存されたマッチング情報に基づいて、センサ１２０から検知されたタッチのタッチタイプが特性外部入力ソースに対応するか否かを判断することができる。なお、タッチタイプを特定外部入力ソースに対応すると判断すると、検知されたタッチに対応する情報を特定外部入力ソースに伝送することができる。その他に、ディスプレイ装置１００の他の機能に関連する動作は、上述のように、プロセッサ１４０によって制御されてよい。
【００６４】
タッチコントローラ４００に備えられた通信部４３０は、ＵＳＢ、シリアルポート、ＷＩ−Ｆｉ、ブルートゥースなどを通じて外部入力ソースとデータ送受信を行うことができる。もちろん、サポート可能な規格は上述の例に限定されずに、別のフォーマットの規格もサポート可能である。
【００６５】
以下では、タッチタイプ及びマッチング情報の具体的な実施形態について、詳細に説明する。
【００６６】
図３Ａ及び図３Ｂは、本発明の一実施形態に係るマッチング情報を説明するための図である。
【００６７】
図３Ａによると、ディスプレイ装置１００は、少なくとも一つの外部入力ソース２００、３００に対応する画面２００−１をディスプレイすることができる。
【００６８】
ディスプレイ装置１００に備えられたセンサ１２０は、ディスプレイに対するタッチを検知することができる。この場合、プロセッサ１５０は、検知されたタッチのタッチタイプを決定することができる。ここで、タッチタイプは、検知されたタッチを予め設定された基準に区分したものを意味する。予め設定された基準は、タッチ面積、タッチオブジェクト、タッチパターンなど、多様に設定されてよい。
【００６９】
プロセッサ１５０は、マッチング情報に基づいて、タッチタイプに対応する外部入力ソースに検知されたタッチに対応する座標値を伝送することができる。なお、プロセッサ１５０は、座標値に対応する情報を伝送することもできる。
【００７０】
なお、プロセッサ１５０は、マッチング情報に基づいてセンサから検知されたタッチのタッチタイプがディスプレイ装置１００に対応すると判断されると、検知されたタッチに対応する座標値に応じた機能を実行することができる。
【００７１】
一方、上述のように、ディスプレイ装置１００は、テレビ、電子黒板、電子テーブル、ＬＦＤなどのような様々な電子装置で実現されてよいが、以下では、説明の便宜のために、ディスプレイ装置１００を電子黒板に想定することとする。
【００７２】
図３Ａに示すように、電子黒板に備えられたセンサ１２０は、電子ペン１０によるタッチを検知することができる。この場合、プロセッサ１５０は、マッチング情報に基づいてタッチタイプに対応する外部入力ソースを決定することができる。なお、プロセッサ１５０は、マッチング情報に基づいてタッチタイプが電子黒板に対応すると判断することもできる。
【００７３】
例えば、プロセッサ１５０は、マッチング情報に応じて、電子ペン１０によって行われたタッチは、電子黒板に対応すると判断することができる。
【００７４】
この場合、プロセッサ１５０は、電子ペン１０によって行われたタッチに対応する座標値に応じた機能を行うことができる。ここで、座標値に応じた機能は、電子黒板機能を意味する。具体的に、電子黒板機能は、板書機能（筆記入力機能）、編集機能、動画再生機能及び筆記入力された画面保存機能などを含んでよい。
【００７５】
よって、図３Ａに示すように、プロセッサ１５０は、検知されたタッチのタッチタイプが電子黒板に対応すると判断されると、検知されたタッチに対応する座標値に応じて板書機能を行うことができる。
【００７６】
図３Ｂは、本発明の一実施形態に係るタッチタイプが外部入力ソースに対応すると判断された場合を説明するための図である。
【００７７】
図３Ｂによると、プロセッサ１５０は、マッチング情報に基づいて、タッチタイプが特性外部入力ソースに対応すると判断することができる。この場合、プロセッサ１５０は、特定外部入力ソースに検知されたタッチに対応する座標値を伝送することができる。なお、プロセッサ１５０は、座標値に対応する情報を伝送することもできる。
【００７８】
例えば、プロセッサ１５０は、マッチング情報に応じて、指先２０によって行われたタッチは、外部入力ソース２００、３００のうち、パソコン２００に対応すると判断してよい。よって、パソコン２０に対応する画面２００−１がディスプレイされており、タッチタイプが外部入力ソース２００、３００のうちパソコン２００に対応すると判断されると、プロセッサ１５０は検知されたタッチに対応する座標値をパソコン２００に伝送することができる。
【００７９】
よって、タッチで制御しようとする機器を選択する過程または切替過程なしに、電子黒板または複数の外部入力ソースをタッチで制御することができる。
【００８０】
以下では、タッチタイプを区分する多様な基準について説明する。
【００８１】
図４Ａ及び図４Ｂは、本発明の一実施形態に係るタッチ面積を基準にタッチタイプが判断される多様な形態を説明するための図である。
【００８２】
図４Ａに示すように、プロセッサ１５０は、タッチタイプが電子黒板に対応すると判断することができる。具体的に、タッチタイプは、タッチ面積を基準に区分され、検知されたタッチのタッチ面積が予め設定された範囲内であれば第１タッチタイプと、予め設定された範囲を超過すると第２タッチタイプと判断されてよい。
【００８３】
例えば、マッチング情報に応じて、第１タッチタイプは電子黒板に対応し、第２タッチタイプはパソコン２００に対応する場合を想定することができる。この場合、図４Ａに示すように、指一本２０に該当する面積は予め設定された範囲内であり、プロセッサ１５０は指一本２０によって行われたタッチを第１タッチタイプと判断することができる。よって、プロセッサ１５０は、検知されたタッチに対応する座標値による電子鋼板機能を行うことができる。
【００８４】
なお、図４Ｂに示すように、指二本３０に該当する面積は予め設定された範囲を超過し、プロセッサ１５０は、指二本３０によって行われたタッチを第２タッチタイプと判断することができる。よって、プロセッサ１５０は、検知されたタッチに対応する座標値をパソコン２００に伝送することができる。ただ、タッチ面積に対する予め設定された範囲は、ユーザによって変更されてよい。
【００８５】
図５Ａ及び図５Ｂは、本発明の一実施形態に係るタッチオブジェクトを基準にタッチタイプが判断される多様な形態を説明するための図である。
【００８６】
図５Ａに示すように、プロセッサ１５０は、タッチタイプが電子黒板に対応すると判断することができる。
【００８７】
タッチタイプは、タッチオブジェクトを基準に区分されてよい。ここで、タッチオブジェクトは、タッチが行われる物質（ｍａｔｔｅｒ）を意味する。具体的に、プロセッサ１５０は、検知されたタッチが第１タッチオブジェクトによって行われると第１タッチタイプと判断し、検知されたタッチが第２タッチオブジェクトによって行われると第２タッチタイプと判断することができる。
【００８８】
例えば、マッチング情報に応じて、第１タッチタイプは電子黒板に対応し、第２タッチタイプはパソコン２００に対応する場合を想定することができる。この場合、図５Ａに示すように、プロセッサ１５０は、タッチが電子ペン１０によって行われると、検知されたタッチを第１タッチタイプと判断することができる。よって、プロセッサ１５０は、検知されたタッチに対応する座標値に応じた電子黒板機能を行うことができる。
【００８９】
なお、図５Ｂに示すように、プロセッサ１５０は、指先２０によって行われたタッチを第２タッチタイプと判断することができる。よって、プロセッサ１５０は、検知されたタッチに対応する座標値をパソコン２００に伝送することができる。ただ、タッチオブジェクトに応じたタッチタイプは、ユーザによって変更されてよい。
【００９０】
図６は、本発明の一実施形態に係るディスプレイ装置の制御方法を説明するためのフローチャートである。
【００９１】
図６に示す方法によると、ディスプレイ装置に備えられたディスプレイに対するタッチを検知し（Ｓ６１０）、ディスプレイ装置及び少なくとも一つの入力ソースのそれぞれが異なるタッチタイプにマッチングしたマッチング情報に基づいて、検知されたタッチのタッチタイプが特定外部入力ソースに対応するかを判断する（Ｓ６２０）。
【００９２】
検知されたタッチのタッチタイプが特定外部入力ソースに対応すると判断されると（Ｓ６３０：Ｙ）、検知されたタッチに対応する情報を外部入力ソースに伝送する（Ｓ６４０）。
【００９３】
なお、制御方法は、マッチング情報に基づいて検知されたタッチのタッチタイプがディスプレイ装置に対応すると判断されると、検知されたタッチに対応する機能を行うことができる。
【００９４】
なお、制御方法は、外部入力ソースに対応する画面２００−１をディスプレイし、伝送するステップは、検知されたタッチのタッチタイプが外部入力ソースに対応すると判断されると、検知されたタッチに対応する情報を外部入力ソースに伝送することができる。
【００９５】
一方、ディスプレイ装置は、電子黒板で実現される。この場合、制御方法は、検知されたタッチのタッチタイプが電子黒板に対応すると判断されると、検知されたタッチに対応する座標値に応じて板書機能を行うことができる。
【００９６】
なお、ディスプレイするステップは、ディスプレイの一部の領域及び残りの領域に、それぞれ外部入力ソースに対応する画面及び電子黒板に対応する画面をディスプレイし、制御方法は、検知されたタッチのタッチタイプが電子黒板に対応すると判断されると、検知されたタッチに対応する座標値に対応する機能を行い、検知されたタッチのタッチタイプが外部入力ソースに対応すると判断されると、検知されたタッチに対応する座標値を外部入力ソースに伝送することができる。
【００９７】
一方、判断するステップは、検知されたタッチのタッチ面積が予め設定された範囲内であれば第１タッチタイプと判断し、検知されたタッチのタッチ面積が予め設定された範囲を超過すると第２タッチタイプと判断することができる。
【００９８】
なお、判断するステップは、検知されたタッチが第１タッチオブジェクトによって行われると第１タッチタイプと判断し、検知されたタッチが第２タッチオブジェクトによって行われると第２タッチタイプと判断することができる。
【００９９】
なお、本発明に係る制御方法を順次に行うプログラムが保存された非一時的な読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【０１００】
具体的に、少なくとも一つの外部入力ソースと通信するディスプレイ装置の制御方法を行うためのプログラムが保存された非一時的な読み取り可能な媒体において、制御方法は、ディスプレイ装置に備えられたディスプレイに対するタッチを検知するステップと、ディスプレイ装置及び少なくとも一つの入力ソースのそれぞれが異なるタッチタイプにマッチングするマッチング情報に基づいて、検知されたタッチのタッチタイプが特定外部入力ソースに対応するか否かを判断するステップと、判断するステップにおいて検知されたタッチのタッチタイプが特定外部入力ソースに対応すると判断されると、検知されたタッチに対応する情報を特定外部入力ソースに伝送するステップとを含む。
【０１０１】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０１０２】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
0006978502.tif 000002
【図２Ａ】
0006978502.tif 000003
【図２Ｂ】
0006978502.tif 000004
【図３ａ】
0006978502.tif 000005
【図３ｂ】
0006978502.tif 000006
【図４ａ】
0006978502.tif 000007
【図４ｂ】
0006978502.tif 000008
【図５ａ】
0006978502.tif 000009
【図５ｂ】
0006978502.tif 000010
【図６】
0006978502.tif 000011